(57)【要約】【課題】一つの無線基地局に複数の無線端末を登録し、各無線端末から無線基地局に対して円滑なデータ転送を可能にした無線会議システムを提供することができる方法、装置、プログラム及び記憶媒体を提供する。【解決手段】無線基地局１０２に接続される複数の無線端末１０４〜１０６との間で通信を行う無線会議システムにおいて、無線基地局１０２と無線端末１０４〜１０６との間の通信頻度に応じて無線端末１０４〜１０６のモードの優先順位を変更する優先順位管理部１０３を備えた。【選択図】      図１
2004222190.tif 000002
【特許請求の範囲】
【請求項１】
無線基地局に接続される複数の無線端末との間で通信を行う無線会議システムにおいて、
前記無線基地局と前記無線端末との間の通信頻度に応じて前記無線端末のモードの優先順位を変更する優先順位管理手段を備えたことを特徴とする無線会議システム。
【発明の詳細な説明】
【０００１】
【発明の属する技術分野】
本発明は、表示装置を用いた無線会議システムに関する。
【０００２】
【従来の技術】
従来、無線会議システム等で使用する無線端末は、参加者各自が所持するノート型パーソナルコンピュータ（ＰＣ）或いは携帯情報端末（ＰＤＡ）毎に内蔵されるため、１つの無線基地局であるアクセスポイント（ＡＰ）に対して多数の無線端末からのアクセスが集中し、無線端末でのスループットが低下してしまう。例えば、参加者２０名程度の会議の場合は、１アクセスポイントの帯域を２０台の無線端末で分割使用することとなる。アクセスポイントを複数台にして、１台当りに収容する無線端末の台数を減らす等、アクセスポイントを追加する方法も存在する。しかし、この方法は、制御が複雑になる、設置場所が必要になる、コストが増大する、電波干渉等が発生する等の問題がある。
【０００３】
そこで、１つのＡＰにおいてトラフィックが増大した場合に、各無線端末へのタイムスロット割り当てを均等にする、または優先順位を付けることにより、最低限の通信を保証する無線会議システムがある（例えば、特許文献１参照）。
【０００４】
【特許文献１】
特開２００１−２７４８０４号
【０００５】
【発明が解決しようとする課題】
しかしながら、上記従来の無線会議システムでは、無線基地局であるＡＰの帯域を各無線端末に均等に割り当てる、若しくは優先順位に従って割り当てる方法を提示しているため、実運用上では、ＡＰの帯域を各端末に均等に割り当てると、発表者等、優先的に帯域を使用したい人が使用している無線端末のスループットが低下するという問題が発生する。また、会議中の発表者を優先する場合でも、発表者は順次交代するため、一意に優先順位を決めることは難しい。
【０００６】
本発明は上述した従来技術の有する問題点を解消するためになされたもので、その目的は、一つの無線基地局に複数の無線端末を登録し、各無線端末から無線基地局に対して円滑なデータ転送を可能にした無線会議システムを提供することである。
【０００７】
【課題を解決するための手段】
上記目的を達成するため、本発明の無線会議システムは、無線基地局に接続される複数の無線端末との間で通信を行う無線会議システムにおいて、前記無線基地局と前記無線端末との間の通信頻度に応じて前記無線端末のモードの優先順位を変更する優先順位管理手段を備えたことを特徴とする。
【０００８】
【発明の実施の形態】
以下、本発明の各実施の形態を図面に基づき説明する。
【０００９】
（第一実施の形態）
まず、本発明の第一実施の形態について、図１〜図５を用いて説明する。
【００１０】
図１は、本発明の第一実施の形態に係る会議システムの全体構成を示すブロック図であり、同図において、１０１は表示装置、１０２は無線基地局であるアクセスポイント（以下、ＡＰと記述する。）、１０３は優先順位管理部（優先順位管理手段）、１０４〜１０６は無線端末である。
【００１１】
表示装置１０１は、液晶プロジェクタ等の大画面表示可能なものであり、ＡＰ１０２にて無線端末１０４〜１０６から受信したプレゼンテーションデータ等を一時記憶し、表示するものである。また、表示装置１０１は、会議室情報の表示、配信等をも行う。ＡＰ１０２は、無線端末１０４〜１０６からのデータを受信して、表示装置１０１等に転送するものである。
【００１２】
本実施の形態における無線方式はＢｌｕｅｔｏｏｔｈを使用するが、無線ＬＡＮ（ローカルエリアネットワーク：ＩＥＥＥ８０２．１１ａ、ｂ）等、他の無線方式を用いても良い。
【００１３】
優先順位管理部１０３は、ＡＰ１０２に無線接続された複数の無線端末１０４〜１０６間におけるモードの優先順位を制御する。無線端末１０４〜１０６を１人１台使用することを想定すると、会議参加者が２０名の場合は、２０台の無線端末がＡＰ１０２に登録されるが、ここでは説明を簡略化するため、会議参加者が３名で、各自ＰＤＡ型の無線端末１０４、無線端末１０５、無線端末１０６を所持しており、これら３台の無線端末１０４〜１０６がＡＰ１０２に登録されているものとする。
【００１４】
モードの優先順位の高い無線端末は、他の無線端末よりＡＰ１０２に対して転送開始までの時間が短い、或いは転送速度が速い等の利点が与えられる。
【００１５】
本実施の形態における優先無線端末（優先順位の高い無線端末）はアクティブメンバー（ＡＭ）となり、３ビットの識別番号であるアクティブメンバーアドレス（ＡＭ＿ＡＤＤ）が与えられる。アクティブメンバーはアクティブモードで動作する。アクティブモード（ＡＭ）とは、ＡＰ１０２がアクティブメンバーに順次ポーリングを行うモードであり、要求に応じて無線端末は直ちに通信可能となる。
【００１６】
また、非優先無線端末（優先順位の低い無線端末）はパークメンバー（ＰＭ）となり、８ビットの識別番号であるパークメンバーアドレス（ＰＭ＿ＡＤＤ）が与えられる。パークメンバーはパークモード（ＰＭ）で動作する。パークモードとは、無線端末１０４〜１０６がＡＰ１０２からの周期的な通信スロットであるビーコンスロットのみの受信動作を行い、ビーコンスロットに続くアクセスウィンドウにてＡＰ１０２に対して通信要求を行うモードであり、その通信要求が受理されるとアクティブメンバーとなり、ＰＭ＿ＡＤＤをＡＰ１０２に返却して、ＡＭ＿ＡＤＤが与えられて、通信が可能となる。
【００１７】
図２は、優先順位管理部１０３の一部を構成し、ＡＰ１０２への最新のアクセス間隔をメモリに記録するタイマ値の一例を示す図であり、同図においては、各シーン１〜５毎にタイマ値の具体例を記載したが、メモリに記録するタイマ値はあくまで現在のシーンのタイマ値を保持するのみである。
【００１８】
図３は、無線端末の通信頻度と通信間隔時間との関係を示す図であり、同図（ａ）は最も通信頻度の高い無線端末における通信間隔時間の一例を示す図、同図（ｂ）は通信頻度が中程度の無線端末における通信間隔時間の一例を示す図、同図（ｃ）は通信頻度が低い無線端末における通信間隔時間の一例を示す図である。
【００１９】
図３（ａ）において、横軸を時間Ｔ１とし、現在時刻をＴ１（０）とし、最後にＡＰ１０２と通信した時間をＴ１（−１）とすると、Ｔ１（−１）からＴ１（０）迄の経過時間は０．０５秒である。また、最後から２番目にＡＰ１０２と通信した時間をＴ１（−２）とし、最後から３番目にＡＰ１０２と通信した時間をＴ１（−３）とすると、Ｔ１（−２）からＴ１（−１）迄の経過時間は０．１２秒であり、Ｔ１（−３）からＴ１（−２）迄の経過時間は０．２９秒である。図２に示すタイマ値としては、現在時刻Ｔ１（０）にて更新した場合は０．１２秒が、Ｔ１（−２）からＴ１（−１）迄の間の時刻にて更新した場合は０．２９秒が、それぞれメモリに記録される。
【００２０】
図３（ｂ）において、横軸を時間Ｔ２とし、現在時刻をＴ２（０）とし、最後にＡＰ１０２と通信した時間をＴ２（−１）とすると、Ｔ２（−１）からＴ２（０）迄の経過時間は１．５４秒である。また、最後から２番目にＡＰ１０２と通信した時間をＴ２（−２）とし、最後から３番目にＡＰ１０２と通信した時間をＴ２（−３）とすると、Ｔ２（−２）からＴ２（−１）迄の経過時間は３．０２秒であり、Ｔ２（−３）からＴ２（−２）迄の経過時間は１．８９秒である。図２に示すタイマ値としては、現在時刻Ｔ２（０）にて更新した場合は３．０２秒が、Ｔ２（−２）からＴ２（−１）迄の間の時刻にて更新した場合は１．８９秒が、それぞれメモリに記録される。
【００２１】
図３（ｃ）においては、横軸を時間Ｔ３とし、現在時刻をＴ３（０）とし、最後にＡＰ１０２と通信した時間をＴ３（−１）とすると、Ｔ３（−１）からＴ３（０）迄の経過時間は３０．０秒である。また、最後から２番目にＡＰ１０２と通信した時間をＴ３（−２）とし、最後から３番目にＡＰ１０１と通信した時間をとすると、Ｔ３（−２）からＴ３（−１）迄の経過時間は１．７５秒であり、Ｔ３（−３）からＴ３（−２）迄の経過時間は２．８９秒である。図２に示すタイマ値としては、現在時刻Ｔ３（０）にて更新した場合は１．７５秒が、Ｔ３（−２）からＴ３（−１）迄の間の時刻にて更新した場合は２．８９秒が、それぞれメモリに記録される。
【００２２】
図４は、本実施の形態に係る無線会議システムにおける各シーンと無線端末の動作内容の一例を示す図であり、同図において、無線端末１０４は司会者が使用するＰＤＡとし、無線端末１０５は第一の発表者が使用するＰＤＡとし、無線端末１０６は第二の発表者が使用するＰＤＡとする。
【００２３】
本実施の形態に係る無線会議システムにおける会議準備中のシーン１において、司会者は無線端末１０４からＡＰ１０２を経由して表示装置１０１へアジェンダが記載されたスライドデータを転送する。このとき、無線端末１０５，１０６は表示装置１０１に保存されている会議室案内情報をＡＰ１０２より受信する。
【００２４】
司会者がアジェンダの説明を開始したシーン２においては、司会者はＰＤＡを使用して、表示装置１０１に表示されるアジェンダ資料のポインタ操作を行う。その間、第一の発表者は無線端末１０５から発表Ａのスライド資料を、ＡＰ１０２を経由して表示装置１０１に転送する。第二の発表者はアジェンダのサムネイルを無線端末１０６にて受信する。
【００２５】
第一の発表者が発表Ａを開始したシーン３においては、第一の発表者はＰＤＡを使用して表示装置１０１に表示される発表Ａ資料のポインタ操作を行う。
【００２６】
司会者及び第二の発表者が所持する無線端末１０４，１０６では、発表の進行状況に応じて発表Ａのスライド資料のサムネイルを受信する。
【００２７】
第一の発表者の発表が終了し、司会者が説明を開始したシーン４では、司会者はＰＤＡを使用して表示装置１０１に表示されるアジェンダ資料のポインタ操作を行う。第二の発表者は無線端末１０６から発表Ｂのスライド資料を、ＡＰ１０２を経由して表示装置１０１に転送する。第一の発表者はアジェンダのサムネイルを無線端末１０５にて受信する。
【００２８】
第二の発表者が発表Ｂを開始したシーン５においては、第二の発表者はＰＤＡを使用して表示装置１０１に表示される発表Ｂ資料のポインタ操作を行う。
【００２９】
司会者及び第一の発表者が所持する無線端末１０４，１０６では、発表の進行状況に応じて発表Ｂのスライド資料のサムネイルを受信する。
【００３０】
次に、本実施の形態に係る無線会議システムの動作を、図５を用いて説明する。
【００３１】
図５は、本実施の形態に係る無線会議システムの優先順位管理部１０３における優先順位、即ちアクティブモードとパークモードとを決定する動作の流れを示すフローチャートである。
【００３２】
ここでは、通信頻度が高い無線端末は優先無線端末としてアクティブモードに、また、通信頻度が低い無線端末は非優先無線端末としてパークモードに設定するものである。
【００３３】
尚、図５のステップＳ５０４は、アクティブメンバーが無くなることを防ぐために設けた処理ステップであり、全てパークメンバーのみを許容するシステムの場合には、このステップＳ５０４は不要である。
【００３４】
また、前記図５のステップＳ５０５におけるＡＭ間隔は、図２に示すメモリに記録されたタイマ値と最終アクセスからの経過時間のいずれか大きい方を採用する。
【００３５】
また、パークモードからアクティブモードへの移行は、通信要求（アクティブモードへの移行要求）があり、ＡＭ＿ＡＤＤに空きがある場合はＡＰ１０１が許可するため、ここでは示さない。
【００３６】
また、アクティブモードへ移行する毎に無線端末は、開いているＡＭ＿ＡＤＤが割り当てられるが、ここでは説明を簡略化するため、無線端末１０４がＡＭ１（ＡＭ＿ＡＤＤ＝１）の固定割り当て、無線端末１０５がＡＭ２（ＡＭ＿ＡＤＤ＝２）の固定割り当て、無線端末１０６がＡＭ３（ＡＭ＿ＡＤＤ＝３）の固定割り当てとして説明する。
【００３７】
図５に示すフローチャートは、１秒毎に優先順位管理部１０３にて実行され、ステップＳ５０５のＡＭ閾値は３秒とする。
【００３８】
シーン１の開始１秒目、２秒目、３秒目はＡＭ閾値を超えないため、無線端末１０４，１０５，１０６の全てはＡＭとして保持される。
【００３９】
ここではシーン１の開始から４秒後を例に説明する。
【００４０】
シーン１において当初（開始０秒相当）３つの無線端末１０４，１０５，１０６は、ＡＰ１０２にアクティブメンバーとして登録される。無線端末１０４がＡＭ１を割り当てられ、無線端末１０５がＡＭ２を割り当てられ、無線端末１０６がＡＭ３を割り当てられたとする。無線端末１０４がアジェンダを送信開始する。無線端末１０５，１０６は間欠的に表示装置１０１から会議室案内情報を受信する。このときのデータ通信頻度は、無線端末１０４が図３（ａ）、無線端末１０５，１０６が図３（ｂ）に示す状態になる。
【００４１】
図５において、まず、ステップＳ５０１で、有効なＡＭ番号、例えば、１，２，３が設定される。次に、ステップＳ５０２で、ＡＭ番号ｘ、例えば、ＡＭ１を設定する。次に、ステップＳ５０３で、前記ステップＳ５０２において設定したＡＭ１の通信間隔を、図２に示すようなタイマ値が記録されたメモリ中から読み出す。ここでは、ＡＭ１の通信間隔として０．１２が読み出される。次に、ステップＳ５０４で、ＡＭ数が２以上（ＡＭ数≧２）であるか否かを判断する。ここではＡＭ数が３であるから、前記ステップＳ５０４の判断結果は肯定（ＹＥＳ）となり、次のステップＳ５０５へ進む。
【００４２】
ステップＳ５０５では、前記ステップ５０３において読み出したＡＭの通信間隔が予め設定されたＡＭ閾値以上（ＡＭの通信間隔≧ＡＭ閾値）であるか否かを判断する。ここではＡＭ１の通信間隔は０．１２、ＡＭ閾値は３．００であるから、前記ステップＳ５０５における判断結果は否定（ＮＯ）となり、ステップＳ５０６をスキップしてステップＳ５０７へ進む。
【００４３】
ステップＳ５０７では、有効なＡＭの読み出しが全て終了したか否かを判断する。ここでは有効なＡＭは３つであり、従って、まだ読み出しが終了していないため、前記ステップＳ５０７における判断結果は否定（ＮＯ）となり、前記ステップＳ５０２へ戻り、次の有効なＡＭ番号である２を設定する。
【００４４】
次に、ステップＳ５０３で、ＡＭ２の通信間隔を図２に示すようなタイマ値が記録されたメモリ中から読み出す。ここでは、ＡＭ２の通信間隔として３．０２が読み出される。次に、ステップＳ５０４で、ＡＭ数が２以上（ＡＭ数≧２）であるか否かを判断する。ここではＡＭ数が３であるから、前記ステップＳ５０４の判断結果は肯定（ＹＥＳ）となり、次のステップＳ５０５へ進む。
【００４５】
ステップＳ５０５では、前記ステップ５０３において読み出したＡＭの通信間隔が予め設定されたＡＭ閾値以上（ＡＭの通信間隔≧ＡＭ閾値）であるか否かを判断する。ここではＡＭ２の通信間隔は３．０２、ＡＭ閾値は３．００であるから、前記ステップＳ５０５における判断結果は肯定（ＹＥＳ）となり、次のステップＳ５０６へ進む。
【００４６】
ステップＳ５０６では、無線端末１０５からＡＭ２を外し、ＰＭ１を与え、パークモードへ移行させる。次に、ステップＳ５０７で、有効なＡＭの読み出しが全て終了したか否かを判断する。ここでは有効なＡＭは３つであり、従って、まだ読み出しが終了していないため、前記ステップＳ５０７における判断結果は否定（ＮＯ）となり、前記ステップＳ５０２へ戻り、次の有効なＡＭ番号である３を設定する。
【００４７】
次に、ステップＳ５０３で、前記ステップＳ５０２において設定したＡＭ３の通信間隔を図２に示すようなタイマ値が記録されたメモリ中から読み出す。ここではＡＭ３の通信間隔として３．０２が読み出される。次に、ステップＳ５０４で、ＡＭ数が２以上（ＡＭ数≧２）であるか否かを判断する。ここではＡＭ数が２であるから、前記ステップＳ５０４の判断結果は肯定（ＹＥＳ）となり、次のステップＳ５０５へ進む。
【００４８】
ステップＳ５０５では、前記ステップ５０３において読み出したＡＭの通信間隔が予め設定されたＡＭ閾値以上（ＡＭの通信間隔≧ＡＭ閾値）であるか否かを判断する。ここではＡＭ２の通信間隔は３．０２、ＡＭ閾値は３．００であるから、前記ステップＳ５０５における判断結果は肯定（ＹＥＳ）となり、次のステップＳ５０６へ進む。
【００４９】
ステップＳ５０６では、無線端末１０６からＡＭ３を外し、ＰＭ２を与え、パークモードへ移行させる。次に、ステップＳ５０７で、有効なＡＭの読み出しが全て終了したか否かを判断する。ここでは有効なＡＭは３つであり、従って、読み出しが全て終了したため、前記ステップＳ５０７における判断結果は肯定（ＹＥＳ）となり、本処理動作を終了する。
【００５０】
ＰＭ１，ＰＭ２は、アクセス要求に応じて再度ＡＭ２，ＡＭ３が与えられ、アクティブメンバーとなる。
【００５１】
次に、図４に示すシーン２における例を説明する。
【００５２】
まず、シーン２の開始時（０秒相当）、無線端末１０４はアジェンダ説明でＡＭ１が、無線端末１０５は発表Ａ資料を表示装置１０１へ送信するために通信要求がＡＰ１０２より許可されＡＭ２が、無線端末１０６は発表Ａのサムネイルを受信するために通信要求がＡＰ１０２より許可されＡＭ３が、それぞれ割り当てられている。
【００５３】
次に、シーン２の開始から４秒後の例を、図５を用いて説明する。
【００５４】
有効なＡＭ番号として１，２，３が設定される（ステップＳ５０１）。次に、ＡＭ１を設定する（ステップＳ５０２）。次に、ステップＳ５０３で、前記ステップＳ５０２において設定したＡＭ１の通信間隔を図２に示すようなタイマ値が記録されたメモリ中から読み出す。ここではＡＭ１の通信間隔として１．０２が読み出される。次に、ＡＭ数≧２であるか否かを判断する（ステップＳ５０４）。ＡＭ数は３であるから、次のステップＳ５０５へ進み、ＡＭの通信間隔≧ＡＭ閾値であるか否かを判断する。ここではＡＭ１の通信間隔は０．１２、ＡＭ閾値が３．００より、ステップＳ５０６をスキップしてステップＳ５０７へ進み、有効なＡＭの読み出しが全て終了したか否かを判断する。ここでは有効なＡＭは３つであり、従って、まだ読み出しが全て終了していないため、前記ステップＳ５０２へ戻る。
【００５５】
次に、有効なＡＭ番号である２を設定する（ステップＳ５０２）。次に、ＡＭ２の通信間隔を図２に示すようなタイマ値が記録されたメモリ中から読み出す（ステップＳ５０３）。ここではＡＭ２の通信間隔として０．１２が読み出される。次に、ステップＳ５０４で、ＡＭ数≧２であるか否かを判断する（ステップＳ５０４）。ここではＡＭ数が２であるから、次のステップＳ５０５へ進み、ＡＭの通信間隔≧ＡＭ閾値であるか否かを判断する。ここではＡＭ１の通信間隔は０．１２、ＡＭ閾値が３．００より、ステップＳ５０６をスキップしてステップＳ５０７へ進み、有効なＡＭの読み出しが全て終了したか否かを判断する。有効なＡＭは３つであり、従って、現在２つのＡＭの読み出し処理を行った段階で、まだ全ての読み出しが終了していないため、前記ステップＳ５０２へ戻る。
【００５６】
次に有効なＡＭ番号である３を設定する（ステップＳ５０２）。次に、ＡＭ３の通信間隔を図２に示すメモリ中から読み出す（ステップＳ５０３）。ここではＡＭ３の通信間隔として３．０２が読み出される。次に、ＡＭ数≧２であるか否かを判断する。ＡＭ数は３であるから、次のステップＳ５０５へ進み、ＡＭの通信間隔≧ＡＭ閾値であるか否かを判断する。ここではＡＭ３の通信間隔は３．０２、ＡＭ閾値が３．００より、ステップＳ５０６へ進み、無線端末１０６からＡＭ３を外し、ＰＭ１を与え、パークモードへ移行させる。次に、有効なＡＭの読み出しが全て終了したか否かを判断する（ステップＳ５０７）。有効なＡＭは３つであり、従って、全て読み出しが終了したため、本処理動作を終了する。
【００５７】
無線端末１０６の次のアクセス要求が３０秒後とすると、ＰＭ１は３０秒後のアクセス要求に応じて再度ＡＭ３が与えられてアクティブメンバーとなり、その後、アクセス要求が３秒を超えてない場合は再度パークモードに移行する。
【００５８】
以上説明したように、本実施の形態に係る無線会議システムによれば、１つのＡＰ１０２を用い、通信頻度の高い無線端末には優先的に伝送帯域を割り当てることができる。また、通信間隔が設定した閾値よりも短い無線端末を優先無線端末とし、通信間隔が閾値よりも長い無線端末を非優先無線端末とすることで、１つのＡＰ１０２に登録された複数の無線端末１０４〜１０６間で円滑なデータ転送が可能になる。更に、多数設定される非優先無線端末は、間欠受信動作することにより、これらより多くの無線端末が消費電力を削減できるという効果もある。更に、低コストにて多数の無線端末が参加可能な会議システムが実現可能となる。
【００５９】
（第二実施の形態）
次に、本発明の第二実施の形態を図６に基づき説明する。
【００６０】
本実施の形態に係る無線会議システムの構成は、上述した第一実施の形態における図１〜図５と共通であるため、その説明は省略し、異なる部分である優先無線端末の決定方法についてのみ、必要に応じてこれら各図を流用して説明する。
【００６１】
優先無線端末の上限を超える無線端末がＡＰ１０２に登録された場合、通信頻度が高い順に上限までは優先無線端末とし、それ以外は非優先無線端末とする。非優先無線端末からの通信許可依頼があった場合は、優先無線端末の中で最も通信頻度の低い無線端末を非優先無線端末に変更する。
【００６２】
以下に示す具体例は、説明を簡略化するために、優先無線端末として登録できる無線端末数を２台とし、無線端末を全部で３台として説明する。
【００６３】
以下、本実施の形態に係る無線会議システムの動作について、図６のフローチャートを用いて説明する。
【００６４】
図６のフローチャートは１秒毎に起動する。シーン２にて図６のフローチャートが起動したとする。このとき優先無線端末であるＡＭは無線端末１０４と無線端末１０５とし、非優先無線端末であるＰＭは無線端末１０６とし、無線端末１０６からは通信要求がある場合を想定して説明する。
【００６５】
図６のフローチャートが起動すると、まず、ステップＳ６０１でＰＭ無線端末ｋからの通信要求有るか否か、ここでは無線端末１０６からの通信要求が有るか否かを判断する。ここではＰＭである無線端末１０６からの通信要求があるので、次のステップＳ６０２へ進む。
【００６６】
ステップＳ６０２では、ＡＭ数＝ＡＭ上限であるか否かを判断する。ここでは現在のアクティブメンバー数は無線端末１０４と無線端末１０５の合計２、ＡＭ上限＝２であり、従って、前記ステップＳ６０２における判断結果は肯定（ＹＥＳ）となり、次のステップＳ６０３へ進む。
【００６７】
ステップＳ６０３では、全てのＡＭである無線端末１０４，１０５の通信間隔を、図２に示すようなタイマ値が記録されたメモリ中から読み出す。ここでは無線端末１０４，１０５の通信間隔として、それぞれ１．０２秒と０．１２秒が読み出される。
【００６８】
次に、ステップＳ６０４で最大ＡＭの通信間隔の無線端末は無線端末１０４であると算出される。次に、ステップＳ６０５で前記ステップＳ６０４において算出された無線端末１０４をパークモードへ移行させ、ＡＭに１つ空きを作る。
【００６９】
次に、ステップＳ６０５で通信要求のあったＰＭ無線端末１０６をアクティブモードへ移行した後、本処理動作を終了する。
【００７０】
一方、前記ステップＳ６０２における判断結果が否定（ＮＯ）の場合は、前記ステップＳ６０３〜ステップＳ６０５をスキップして、前記ステップＳ６０６へ進む。
【００７１】
以上説明したように、本実施の形態に係る無線会議システムによれば、無線端末１０４〜１０６のモードの優先順位を優先順位管理部１０３にて制御することで、より多くの無線端末がＡＰ１０２に対して効率的に接続できる。また、ＡＰ１０２が収容可能な優先無線端末の最大数まで優先無線端末をＡＰ１０２に登録し、それを超える無線端末は非優先無線端末として、非優先無線端末からの接続要求時は優先無線端末内で最も通信間隔の長い無線端末を非優先無線端末とすることで、接続要求無線端末をＡＰ１０２と通信可能とする。このことで１つのＡＰ１０２に登録された複数の、無線端末１０４〜１０６間で円滑なデータ転送が可能になる。また、非優先無線端末は間欠受信動作することにより、消費電力を削減できるという効果もある。更に、低コストにて多数の無線端末が参加可能な会議システムが実現可能となる。
【００７２】
尚、本実施の形態における図６のフローチャートは１秒毎に起動する例を示したが、ステップＳ６０１におけるＰＭ端末ｋからの通信要求の発生を、図６のフローチャートの起動トリガとしても良い。
【００７３】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００７４】
また、上述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【００７５】
この場合、記憶媒体から読み出されたプログラムコード自体が上述した各実施の形態の機能を実現することになり、そのプログラムコードを記憶した記憶媒体は本発明を構成することになるであろう。
【００７６】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【００７７】
また、コンピュータが読み出したプログラムコードを実行することにより、上述した各実施の形態の機能が実現されるだけでなく、そのプログラムコードの指示に基づき、コンピュータ上で稼動しているＯＳ（オペレーティングシステム）等が実際の処理の一部または全部を行い、その処理によって上述した各実施の形態の機能が実現される場合も含まれることは言うまでもない。
【００７８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した各実施の形態の機能が実現される場合も含まれることは言うまでもない。
【００７９】
本発明の実施態様の具体例を以下に列挙する。
【００８０】
［実施態様１］  無線基地局に接続される複数の無線端末との間で通信を行う無線会議システムにおいて、前記無線基地局と前記無線端末との間の通信頻度に応じて前記無線端末のモードの優先順位を変更する優先順位管理部を備えたことを特徴とする無線会議システム。
【００８１】
［実施態様２］  表示装置が接続された無線基地局と、該無線基地局に接続される複数の無線端末との間で通信を行う無線会議システムにおいて、前記無線基地局は、前記無線端末と前記無線基地局との間の通信頻度を測定し且つ通信頻度の低い無線端末を優先順位の低いモードに変更する優先順位管理部を備えたことを特徴とする無線会議システム。
【００８２】
［実施態様３］  表示装置が接続された無線基地局と、該無線基地局に接続される複数の無線端末との間で通信を行う無線会議システムにおいて、前記無線基地局は、前記無線端末と前記無線基地局との間の通信頻度を測定し且つ所定の通信頻度を下回る無線端末を優先順位の低いモードに変更する優先順位管理部を備えたことを特徴とする無線会議システム。
【００８３】
［実施態様４］  表示装置が接続された無線基地局と、該無線基地局に接続される複数の無線端末との間で通信を行う無線会議システムにおいて、前記無線基地局は、前記無線端末と前記無線基地局との間の通信頻度を測定し且つ優先順位の高いモードに設定された無線端末が所定数に達した場合は前記通信頻度の低いモードに設定された無線端末からのアクセス要求時に優先順位の高いモードの無線端末内にて前記通信頻度の最も低い無線端末を優先順位の低いモードに変更する優先順位管理部を備えたことを特徴とする無線会議システム。
【００８４】
［実施態様５］  前記通信頻度の測定には、前記無線基地局にて前記無線端末から送信された空パケットの受信継続時間を利用することを特徴とする実施態様１乃至４のいずれかに記載の無線会議システム。
【００８５】
［実施態様６］  無線基地局に接続される複数の無線端末との間で通信を行う無線会議方法において、
前記無線基地局と前記無線端末との間の通信頻度に応じて前記無線端末のモードの優先順位を変更する優先順位管理ステップを備えたことを特徴とする無線会議方法。
【００８６】
［実施態様７］  表示装置が接続された無線基地局と、該無線基地局に接続される複数の無線端末との間で通信を行う無線会議方法において、前記無線基地局と前記無線端末との間の通信頻度を測定し且つ通信頻度の低い無線端末を優先順位の低いモードに変更する優先順位管理ステップを備えたことを特徴とする無線会議方法。
【００８７】
［実施態様８］  表示装置が接続された無線基地局と、該無線基地局に接続される複数の無線端末との間で通信を行う無線会議方法において、前記無線基地局と前記無線端末との間の通信頻度を測定し且つ所定の通信頻度を下回る無線端末を優先順位の低いモードに変更する優先順位管理ステップを備えたことを特徴とする無線会議方法。
【００８８】
［実施態様９］  表示装置が接続された無線基地局と、該無線基地局に接続される複数の無線端末との間で通信を行う無線会議方法において、前記無線基地局と前記無線端末との間の通信頻度を測定し且つ優先順位の高いモードに設定された無線端末が所定数に達した場合は前記通信頻度の低いモードに設定された無線端末からのアクセス要求時に優先順位の高いモードの無線端末内にて前記通信頻度の最も低い無線端末を優先順位の低いモードに変更する優先順位管理ステップを備えたことを特徴とする無線会議方法。
【００８９】
［実施態様１０］  前記通信頻度の測定には、前記無線基地局にて前記無線端末から送信された空パケットの受信継続時間を利用することを特徴とする実施態様６乃至９のいずれかに記載の無線会議方法。
【００９０】
［実施態様１１］  無線基地局に接続される複数の無線端末との間で通信を行う無線会議システムを制御するコンピュータ読み取り可能な制御プログラムにおいて、前記無線基地局と前記無線端末との間の通信頻度に応じて前記無線端末のモードの優先順位を変更する優先順位管理ステップをコンピュータに実行させるためのプログラムコードから成ることを特徴とする無線会議システムの制御プログラム。
【００９１】
［実施態様１２］  表示装置が接続された無線基地局と、該無線基地局に接続される複数の無線端末との間で通信を行う無線会議システムを制御するコンピュータ読み取り可能な制御プログラムにおいて、前記無線基地局と前記無線端末との間の通信頻度を測定し且つ通信頻度の低い無線端末を優先順位の低いモードに変更する優先順位管理ステップをコンピュータに実行させるためのプログラムコードから成ることを特徴とする無線会議システムの制御プログラム。
【００９２】
［実施態様１３］  表示装置が接続された無線基地局と、該無線基地局に接続される複数の無線端末との間で通信を行う無線会議システムを制御するコンピュータ読み取り可能な制御プログラムにおいて、前記無線基地局と前記無線端末との間の通信頻度を測定し且つ所定の通信頻度を下回る無線端末を優先順位の低いモードに変更する優先順位管理ステップをコンピュータに実行させるためのプログラムコードから成ることを特徴とする無線会議システムの制御プログラム。
【００９３】
［実施態様１４］  表示装置が接続された無線基地局と、該無線基地局に接続される複数の無線端末との間で通信を行う無線会議システムを制御するコンピュータ読み取り可能な制御プログラムにおいて、前記無線基地局と前記無線端末との間の通信頻度を測定し且つ優先順位の高いモードに設定された無線端末が所定数に達した場合は前記通信頻度の低いモードに設定された無線端末からのアクセス要求時に優先順位の高いモードの無線端末内にて前記通信頻度の最も低い無線端末を優先順位の低いモードに変更する優先順位管理ステップをコンピュータに実行させるためのプログラムコードから成ることを特徴とする無線会議システムの制御プログラム。
【００９４】
［実施態様１５］  実施態様１１乃至１４記載の無線会議システムの制御プログラムを格納したことを特徴とする記憶媒体。
【００９５】
【発明の効果】
以上説明したように、本発明によれば、一つの無線基地局に複数の無線端末を登録し、各無線端末から無線基地局に対して円滑なデータ転送が可能になるという効果を奏する。
【図面の簡単な説明】
【図１】本発明の第一実施の形態に係る無線会議システムの全体構成を示すブロック図である。
【図２】本発明の第一実施の形態に係る無線会議システムにおける無線端末毎の通信間隔を示すタイマ値の記録例を示す図である。
【図３】本発明の第一実施の形態に係る無線会議システムにおける通信頻度と無線端末の時間間隔との関係を示す図である。
【図４】本発明の第一実施の形態に係る無線会議システムにおける各無線端末の通信状態を示す図である。
【図５】本発明の第一実施の形態に係る無線会議システムにおける優先度決定手順を示すフローチャートである。
【図６】本発明の第二実施の形態に係る無線会議システムにおける優先度決定手順を示すフローチャートである。
【符号の説明】
１０１    表示装置
１０２    無線基地局（アクセスポイント：ＡＰ）
１０３    優先順位管理部（優先順位管理手段）
１０４    無線端末
１０５    無線端末
１０６    無線端末
【図１】
2004222190.tif 000003
【図２】
2004222190.tif 000004
【図３】
2004222190.tif 000005
【図４】
2004222190.tif 000006
【図５】
2004222190.tif 000007
【図６】
2004222190.tif 000008